(57)【要約】【課題】撮影画像に対する撮影者の意図した情報の付加を容易に行えるようにする。【解決手段】画像記録装置１のＣＰＵ１１は、動画撮影中における撮影者による所定の動作（例えば、所定の音声の発声又は所定のジェスチャー）を認識し、認識された所定の動作に対応する評価情報を動画撮影により取得された動画ファイルに付加し、評価情報が付加された動画ファイルを動画記録部１３３に記録する。【選択図】図３
2019022039.tif 000002
【特許請求の範囲】
【請求項１】
画像撮影中における撮影者による所定の動作を認識する認識手段と、
前記認識手段により認識された前記所定の動作に対応する付加情報を前記画像撮影により取得された撮影画像に付加する付加手段と、
前記付加手段により付加情報が付加された前記撮影画像を記録する記録手段と、
を備える画像記録装置。
【請求項２】
前記所定の動作と、その動作に対応する付加情報を対応付けて記憶する記憶手段を備え、
前記付加手段は、前記認識手段により前記記憶手段に記憶されている動作が認識された場合に、その認識された動作に対応する付加情報を前記撮影画像に付加する請求項１に記載の画像記録装置。
【請求項３】
前記付加情報は、前記撮影画像の評価情報又は被写体の識別情報である請求項１又は２に記載の画像記録装置。
【請求項４】
前記撮影画像に付加された付加情報に基づいて、前記撮影画像に対する動作を制御する制御手段を備える請求項１〜３のいずれか一項に記載の画像記録装置。
【請求項５】
前記所定の動作は、所定の音声の発声又は所定のジェスチャーを含む請求項１〜４のいずれか一項に記載の画像記録装置。
【請求項６】
前記撮影画像は動画像である請求項１〜５のいずれか一項に記載の画像記録装置。
【請求項７】
前記認識手段により前記所定の音声が発声されたことが認識された場合に、当該音声を削除する削除手段を備える請求項６に記載の画像記録装置。
【請求項８】
前記認識手段は、前記動画像に基づいて前記所定の動作の認識を行い、
前記動画像を再生する再生手段と、
前記再生手段により前記動画像を再生する際に、前記認識手段により前記所定の動作が認識された範囲については再生が行われないように制御する再生制御手段と、
を備える請求項６に記載の画像記録装置。
【請求項９】
前記再生制御手段は、前記認識手段により認識された前記所定の動作が所定の音声の発声である場合に、前記再生手段による前記動画像の再生時に前記所定の音声を消音するよう制御する請求項８に記載の画像記録装置。
【請求項１０】
前記再生制御手段は、前記認識手段により認識された前記所定の動作が所定のジェスチャーである場合に、前記再生手段による前記動画像の再生時に前記動画像中の前記所定のジェスチャーが認識されたフレーム画像を再生対象から除くよう制御する請求項８又は９に記載の画像記録装置。
【請求項１１】
画像撮影中における撮影者による所定の動作を認識する認識工程と、
前記認識工程において認識された前記所定の動作に対応する付加情報を前記画像撮影により取得された撮影画像に付加する付加工程と、
前記付加工程において付加情報が付加された前記撮影画像を記録手段に記録する記録工程と、
を含む画像記録方法。
【請求項１２】
コンピュータを、
画像撮影中における撮影者による所定の動作を認識する認識手段、
前記認識手段により認識された前記所定の動作に対応する付加情報を前記画像撮影により取得された撮影画像に付加する付加手段、
前記付加手段により付加情報が付加された前記撮影画像を記録する記録手段、
として機能させるためのプログラム。
【発明の詳細な説明】
【技術分野】
【０００１】
本発明は、画像記録装置、画像記録方法及びプログラムに関する。
【背景技術】
【０００２】
従来、撮影後の動画像データに対して評価情報を付加する技術が知られている。例えば、特許文献１には、記録された動画像データを複数のシーンに分割し、複数の条件に従ってシーン毎に動画像データを評価する技術が記載されている。
【先行技術文献】
【特許文献】
【０００３】
【特許文献１】特開２００２−１４２１８９号公報
【発明の概要】
【発明が解決しようとする課題】
【０００４】
しかしながら、特許文献１においては、装置側で予め定められた条件に基づいて評価を行っており、撮影者の意図した評価情報が付与されない場合がある。
【０００５】
一方、例えば、撮影後に、撮影画像をユーザが評価情報を撮影画像データに付加したり、撮影画像の内容がわかるような識別情報を撮影画像データに付加したりする場合には、撮影後に撮影画像を再生して見直さなければならず、煩雑な作業が必要となる。
【０００６】
本発明の課題は、撮影画像に対する撮影者の意図した情報の付加を容易に行えるようにすることである。
【課題を解決するための手段】
【０００７】
上記課題を解決するため、請求項１に記載の発明の画像記録装置は、
画像撮影中における撮影者による所定の動作を認識する認識手段と、
前記認識手段により認識された前記所定の動作に対応する付加情報を前記画像撮影により取得された撮影画像に付加する付加手段と、
前記付加手段により付加情報が付加された前記撮影画像を記録する記録手段と、
を備える。
【発明の効果】
【０００８】
本発明によれば、撮影画像に対する撮影者の意図した情報の付加を容易に行うことが可能となる。
【図面の簡単な説明】
【０００９】
【図１】本実施形態の画像記録装置の機能的構成を示すブロック図である。
【図２】評価テーブルのデータ格納例を示す図である。
【図３】図１のＣＰＵにより実行される画像記録制御処理を示すフローチャートである。
【発明を実施するための形態】
【００１０】
以下、添付図面を参照して本発明に係る実施形態を詳細に説明する。なお、本発明は、図示例に限定されるものではない。
【００１１】
［画像記録装置１の構成］
画像記録装置１は、ユーザ（撮影者）による指示に従って画像撮影を行い、得られた撮影画像を記録する装置である。本実施形態では、画像記録装置１が動画撮影を行い、得られた動画像を記録する場合を例にとり説明する。
図１は、画像記録装置１の機能的構成を示すブロック図である。図１に示すように、画像記録装置１は、ＣＰＵ１１、ＲＡＭ１２、記録部１３、操作部１４、表示部１５、撮像部１６、音声入力部１７、音声出力部１８、通信部１９、計時部２０等を備えて構成されている。ＣＰＵ１１と各部はバスにより接続されている。
【００１２】
ＣＰＵ１１は、記録部１３に記憶されている各種のプログラムを実行して所定の演算や各部の制御を行うプロセッサである。例えば、ＣＰＵ１１は、操作部１４により動画撮影が指示されると、後述する画像記録制御処理を実行し、認識手段、付加手段として機能する。また、ＣＰＵ１１は、制御手段、再生制御手段として機能する。
【００１３】
ＲＡＭ１２は、ＣＰＵ１１に作業用のメモリ空間を提供し、データを一時的に記憶する。
【００１４】
記録部１３は、不揮発性の半導体メモリやハードディスク等により構成される。記録部１３には、ＣＰＵ１１で実行されるシステムプログラムや各種処理プログラム、これらのプログラムの実行に必要なデータ等が記憶されている。
【００１５】
例えば、記録部１３には、評価テーブル１３１が記憶されている。図２は、評価テーブル１３１のデータ格納例を示す図である。図２に示すように、評価テーブル１３１は、ユーザ（撮影者）による所定の動作と、その動作に対応する評価情報とが対応付けて記憶されている。すなわち、記録部１３は、記憶手段として機能する。
なお、評価情報は、ここでは、動画撮影されたアクションの出来栄えの評価をスコアで表したものとするが、アクションの成功又は失敗の評価を表す区分としてもよい。また、撮影された動画の優先度の評価や重要度の評価を表すスコアとしてもよい。
【００１６】
また、記録部１３には、設定テーブル１３２が記憶されている。設定テーブル１３２には、各評価情報が付加された動画ファイルに対する動作の設定情報が記憶されている。この設定情報は、ユーザが操作部１４又は通信部１９を介して設定可能である。
【００１７】
また、記録部１３は、後述する画像記録制御処理において生成された動画ファイルを記録する動画記録部１３３を有している。動画記録部１３３は、記録手段として機能する。
【００１８】
操作部１４は、ＲＥＣボタンやＲＥＣ終了ボタンを始めとする各種機能ボタンを備え、ユーザによる各ボタンの押下入力を受け付けてその操作情報をＣＰＵ１１に出力する。また、操作部１４は、表示部１５の表面を覆うように透明電極を格子状に配置したタッチパネル等を有し、手指やタッチペン等による各種操作を検出し、その操作情報をＣＰＵ１１に出力する。  
【００１９】
表示部１５は、ＬＣＤ（Liquid Crystal Display）等により構成され、ＣＰＵ１１からの表示制御信号に従って、画面上に各種表示を行う。
【００２０】
撮像部１６は、光学レンズユニット、ＣＣＤ（Charge Coupled Device）やＣＭＯＳ（Complementary Metal-oxide Semiconductor）等のイメージセンサ等からなる撮像素子、Ａ／Ｄ変換回路等を備えて構成され、レンズを通過した光学像を撮像素子により２次元の画像信号に変換し、動画像の画像データ（フレーム画像）を取得する。撮像部１６は、撮影手段として機能する。
【００２１】
音声入力部１７は、マイク等により構成され、入力された音声を電気信号に変換してＣＰＵ１１に出力する。
【００２２】
音声出力部１８は、スピーカ等により構成され、ＣＰＵ１１から指示された音声データに基づいて音声を出力する。
【００２３】
通信部１９は、外部の機器と無線又は有線によりデータ通信を行うためのインターフェースである。
【００２４】
計時部２０は、ＲＴＣ（Real Time Clock）等により構成され、現在時刻を計時してＣＰＵ１１に出力する。
【００２５】
［画像記録装置１の動作］
次に、画像記録装置１の動作について説明する。
従来、例えば、ＢＭＸでジャンプ台をジャンプする、スケートボードでトリックアクションを行う等のスポーツアクティビティをユーザが繰り返し行って繰り返し動画撮影を行い、撮影した動画を記録した場合、類似した動画ファイルが複数記録されるので、例えば、サムネイル画像等だけではどの動画ファイルにどのような結果のアクションが記録されているか（うまくいった、失敗した等）を識別することが困難であった。動画ファイルの内容を識別可能とするには、ユーザが動画ファイルを見直して情報を付加する必要があり、煩雑な作業が必要であった。
【００２６】
本実施形態において、画像記録装置１は、動画記録が指示されると、画像記録制御処理を実行し、動画撮影中（ＲＥＣボタンを押下してからＲＥＣ終了ボタンを押下するまで）にユーザが所定の動作を行うと、その所定の動作を認識してその動作に対応する評価情報を動画ファイルに付加して記録部１３に記録する。したがって、例えば、ユーザが動画撮影中にアクションを行うとともにそのアクションの評価に対応する所定の動作を行うだけで、その動作に対応する評価情報を動画ファイルに容易に付加することが可能である。
【００２７】
図３は、画像記録制御処理を示すフローチャートである。画像記録制御処理は、操作部１４のＲＥＣボタンが押下され、動画記録が指示された場合に、ＣＰＵ１１と記録部１３に記憶されているプログラムとの協働により実行される。以下、図３を参照して画像記録制御処理について説明する。
【００２８】
まず、ＣＰＵ１１は、撮像部１６及び音声入力部１７に動画撮影開始を指示して動画撮影を開始させるとともに、計時部２０から撮影開始時刻を取得する（ステップＳ１）。
【００２９】
次いで、ＣＰＵ１１は、評価テーブル１３１に登録されている所定の動作が認識されたか否かを判断する（ステップＳ２）。
ステップＳ２において、ＣＰＵ１１は、撮像部１６により順次取得されるフレーム画像を解析することにより、評価テーブル１３１に登録されている所定の動作（ジェスチャー）を認識する処理を行う。例えば、記録部１３に予め所定の動作（例えば、親指と人差し指で○を作る、人差し指だけ立てる、人差しと中指を立てる）を示すテンプレート画像を記憶しておき、テンプレート画像に類似する画像（テンプレート画像との類似度（例えば、相互相関係数）が閾値以上の画像）がフレーム画像中から認識された場合、評価テーブル１３１に登録されている所定の動作が認識されたと判断する。
また、ＣＰＵ１１は、音声入力部１７により音声が入力されたか否かを判断し、音声が入力された場合は、その音声を解析し、評価テーブル１３１に登録されている所定の動作に対応する音声（所定の音声）であるか否かを判断する。入力された音声が所定の動作に対応する音声である場合、ＣＰＵ１１は、評価テーブル１３１に登録されている所定の動作が認識されたと判断する。
【００３０】
ステップＳ２において、所定の動作が認識されたと判断した場合（ステップＳ２；ＹＥＳ）、ＣＰＵ１１は、評価テーブル１３１において認識された動作に対応付けられている評価情報、動作区分（音声、ジェスチャー等）及びその動作が行われたタイミングを示す情報（例えば、所定の動作が認識された区間の撮影開始からの経過時間や、所定の動作が認識された区間のフレーム画像のフレーム番号）を取得してＲＡＭ１２に記憶し（ステップＳ３）、ステップＳ４に移行する。
ステップＳ２において、所定の動作が認識されていないと判断した場合（ステップＳ２；ＮＯ）、ＣＰＵ１１は、ステップＳ４に移行する。
【００３１】
ステップＳ４において、ＣＰＵ１１は、ＲＥＣ終了ボタンが押下されたか否かを判断する（ステップＳ４）。
ＲＥＣ終了ボタンが押下されていないと判断した場合（ステップＳ４；ＮＯ）、ＣＰＵ１１は、ステップＳ２に戻る。
【００３２】
ＲＥＣ終了ボタンが押下されたと判断した場合（ステップＳ４；ＹＥＳ）、ＣＰＵ１１は、動画撮影により取得された一連のフレーム画像及び音声データから所定の形式の動画ファイルを生成し、動画ファイルのタグにＲＡＭ１２に記憶されている評価情報、動作区分及び所定の動作が行われたタイミングを示す情報を付加する（ステップＳ５）。そして、ＣＰＵ１１は、評価情報等が付加された動画ファイルを動画記録部１３３に記録し（ステップＳ６）、画像記録制御処理を終了する。
【００３３】
例えば、ユーザが画像記録装置１のＲＥＣボタンを押下して動画撮影を開始し、スケートボードでトリックアクション等を行い、行ったアクションの評価に対応する動作を画像記録装置１の撮像部１６が撮像可能な範囲においてユーザが行い、ＲＥＣ終了ボタンが押下されると、行ったアクションの評価情報が付加された動画ファイルが記録される。したがって、動画ファイルに評価情報を付加する操作を別途行う必要がなくなる。特に、ユーザがトリックアクションを繰り返し行って繰り返し動画撮影を行い、撮影した動画を記録した場合、類似した動画ファイルが複数記録されてしまうが、各動画ファイルには評価情報が付加されているので、ユーザが全ての動画ファイルを見直して評価情報を付加するという煩雑な操作を行う必要がなくなり、利便性が向上する。
【００３４】
ＣＰＵ１１は、設定テーブル１３２を参照し、制御手段として、動画ファイルに付加されている評価情報に基づいて、動画ファイルに対する動作を制御する。
例えば、「評価０」の動画ファイルを削除することが設定テーブル１３２に設定されている場合、ＣＰＵ１１は、「評価０」の評価情報が付加されている動画ファイルを動画記録部１３３から削除する。あるいは、「評価０」の動画ファイルをファイル一覧等に表示しないことが設定テーブル１３２に設定されている場合、ＣＰＵ１１は、ファイル一覧等を表示部１５に表示する際に、「評価０」の評価情報が付加されている動画ファイルをファイルの一覧に表示しない。
また、例えば、「評価２」の動画ファイルをスマートフォン等の予め設定された外部機器に送信することが設定テーブル１３２に設定されている場合、ＣＰＵ１１は、「評価２」の評価情報が付加されている動画ファイルを設定された外部機器に送信する。
このように、ＣＰＵ１１は、動画ファイルに付加されている評価情報に基づいて、動画ファイルに対する動作を制御するので、動画ファイルに対し、付加されている評価情報に応じた適切な動作を行うことが可能となる。
【００３５】
また、例えば、ＣＰＵ１１は、動画ファイルを一覧表示する際に、評価情報に応じて表示を変更することとしてもよい。これにより、ユーザは、所望する評価の動画ファイルを簡単に見つけることが可能となる。
【００３６】
また、ＣＰＵ１１は、動画ファイルを再生する（動画ファイルの画像データを表示部１５に表示し、音声を音声出力部１８により出力する）場合、再生制御手段として、所定の動作が認識された範囲については再生が行われないように表示部１５や音声出力部１８を制御する。これにより、評価情報を付加するために行われた、動画として見る必要のない部分については再生しないようにすることができる。
例えば、動画撮影中に認識された所定の動作が所定の音声の発声である場合、ＣＰＵ１１は、動画ファイルに付加されている所定の動作が行われたタイミングを示す情報に基づいて、所定の音声を消音するように音声出力部１８を制御する。
また、例えば、動画撮影中に認識された所定の動作が所定のジェスチャーである場合、ＣＰＵ１１は、動画ファイルに付加されている所定の動作が行われたタイミングを示す情報に基づいて、動画ファイル中の所定のジェスチャーが認識された範囲のフレーム画像を飛ばして再生する（再生対象から除く）よう表示部１５を制御する。
【００３７】
または、ＣＰＵ１１は、動画ファイルを生成する際に、評価情報に対応する所定の音声の部分を音声データから削除することとしてもよい。
【００３８】
以上説明したように、画像記録装置１のＣＰＵ１１は、動画撮影中における撮影者による所定の動作（例えば、所定の音声の発声又は所定のジェスチャー）を認識し、認識された所定の動作に対応する評価情報を動画撮影により取得された動画ファイルに付加し、評価情報が付加された動画ファイルを動画記録部１３３に記録する。例えば、所定の動作と、その動作に対応する評価情報を対応付けて評価テーブル１３１に記憶しておき、ＣＰＵ１１は、評価テーブル１３１に記憶されている動作が認識された場合に、その認識された動作に対応する評価情報を動画ファイルに付加する。
したがって、動画ファイルを見直すなどの煩雑な作業を行うことなく、動画ファイルに対して撮影者の意図した評価情報を容易に付加することが可能となる。
【００３９】
また、例えば、ＣＰＵ１１は、動画ファイルに付加された評価情報に基づいて、動画ファイルに対する動作を制御する。したがって、撮影者による評価に応じて動画ファイルに対する動作を変更することができる。
【００４０】
また、例えば、ＣＰＵ１１は、音声入力部１７により所定の音声が入力されたことを認識した場合に、当該音声を削除する。したがって、評価を入力するための音声が再生されないようにすることができる。
【００４１】
また、例えば、ＣＰＵ１１は、動画撮影中に認識された所定の動作に対応する評価情報が付加された動画ファイルを再生する際に、所定の動作が認識された範囲については再生が行われないように制御する。
例えば、ＣＰＵ１１は、認識された所定の動作が所定の音声の発声である場合、動画ファイルの再生時に前記所定の音声を消音するよう音声出力部１８を制御する。したがって、評価を入力するための音声が再生されないようにすることができる。
また、例えば、ＣＰＵ１１は、認識された前記所定の動作が所定のジェスチャーである場合、動画ファイルの再生時に一連の動画像中の所定のジェスチャーが認識されたフレーム画像の再生を再生対象から除くよう表示部１５を制御する。したがって、評価を入力するためのジェスチャーが再生されないようにすることができる。
【００４２】
なお、上記実施形態における記述内容は、本発明に係る画像記録装置の好適な一例であり、これに限定されるものではない。
【００４３】
例えば、上記実施形態においては、ジェスチャーまたは音声により評価情報に対応する所定の動作を入力することとして説明したが、センサ端末（例えば、加速度センサやジャイロセンサ等）を用いて評価情報に対応する所定の動作を入力することとしてもよい。例えば、センサ端末を縦方向や横方向に所定の回数動かす動作を評価情報に対応する所定の動作としてもよい。または、操作部１４やキーボード等の入力端末からの入力を評価情報に対応する所定の動作としてもよい。
【００４４】
また、上記実施形態においては、所定の動作に応じた評価情報を動画ファイルに付加することとして説明したが、動画ファイルに付加する付加情報は、評価情報に限定されない。例えば、記録部１３に所定の動作と、被写体の識別情報（名前等）とを対応付けて記憶しておき、ユーザが動画撮影中に行った所定の動作に応じた被写体識別情報を動画ファイルに付加してもよい。これにより、複数人が画像記録装置１を使用して動画撮影を行った場合等に、容易に被写体を識別可能な情報を動画ファイルに付加することが可能となる。なお、被写体の識別情報を付加するための所定の動作は、撮影対象のアクションの前に行うこととしてもよいし、後に行うこととしてもよい。  
【００４５】
また、画像記録装置１は、広角レンズや魚眼レンズ等を備える全天周カメラとしてもよい。全天周カメラは画角が広いため、広い範囲を撮影することができ、スポーツのアクションの開始から終了までを撮影するのに好適である。また、アクションが終わった後、評価に対応するジェスチャーを行うために一般的なカメラのように画角に戻ってくる必要もなくなるため、利便性が向上する。
【００４６】
また、複数台の画像記録装置１を接続して、複数台の画像記録装置１により動画撮影を行った場合（例えば、複数方向からアクションを撮影するような場合）、複数のうち１つの画像記録装置１に対して評価情報に応じた所定の動作が認識されると、その画像記録装置１で取得された動画ファイルだけでなく、他の画像記録装置１から取得された動画ファイルにおいても同じ付加情報を付与することとしてもよい。これにより、複数台の画像記録装置を使用して動画撮影を行う場合に、評価情報の入力はすべての画像記録装置に対して行う必要がなく、１つの画像記録装置に対して所定の動作を行うだけでよく、利便性が向上する。
【００４７】
また、上記実施形態においては、画像記録装置１が請求項に記載の各手段（認識手段、付加手段、記録手段、記憶手段、制御手段、削除手段、再生制御手段、撮影手段）を備える場合を例にとり説明したが、撮影手段は、他の手段と別体に構成されていてもよい。例えば、動画撮影を行う撮影装置と、撮影装置を制御するコントローラーとがケーブルを介して接続される構成とし、撮影装置において動画撮影により取得されたフレーム画像及び音声データを順次コントローラーに送信し、コントローラーにおいて、受信したフレーム画像及び音声データに基づいて、動画撮影中における撮影者による所定の動作を認識し、認識した所定の動作に対応する評価情報を動画ファイルに付加してコントローラー内の記録部に記録することとしてもよい。
【００４８】
また、上記実施形態及びその変形例においては、画像撮影により取得される撮影画像が動画像である場合を例にとり説明したが、撮影画像は動画像に限らず、静止画像であってもよい。すなわち、静止画撮影中に撮影者により行われた所定の動作に対応する付加情報をその撮影により取得された静止画像に付加して記録することとしてもよい。ここで、静止画撮影中には、記録する静止画像を撮像部１６により取得するタイミングだけでなく、記録する静止画像を決定するために撮像部１６によりプレビュー画像を取得している期間を含む。
例えば、画像記録装置１を静止画撮影モードに設定して静止画撮影を開始すると、撮像部１６により順次プレビュー画像が取得される。ＣＰＵ１１は、この撮像部１６により取得されたプレビュー画像をＲＡＭ１２に一時的に記憶する。操作部１４によりシャッタースイッチが押下されると、ＣＰＵ１１は、ＲＡＭ１２に記憶されているプレビュー画像及びプレビュー画像取得中に音声入力部１７により入力された音声を解析し、撮影者による所定の動作（ジェスチャー又は音声の発声）が認識された場合は、認識された動作に対応する付加情報をシャッタースイッチの押下に応じて撮像部１６により取得された静止画像に付加して記録部１３に記録する。ＲＡＭ１２に一次記憶されているプレビュー画像は削除する。
なお、静止画撮影中における所定の動作の認識手法は上記実施形態で説明したものと同様である。また、ＣＰＵ１１は、記録された静止画像に付加された付加情報に基づいて、静止画像に対する動作を制御する点も同様である。
【００４９】
また、例えば、上記の説明では、本発明に係るプログラムのコンピュータ読み取り可能な媒体としてハードディスクや半導体の不揮発性メモリ等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００５０】
その他、画像記録装置を構成する各装置の細部構成及び細部動作に関しても、発明の趣旨を逸脱することのない範囲で適宜変更可能である。
【００５１】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
画像撮影中における撮影者による所定の動作を認識する認識手段と、
前記認識手段により認識された前記所定の動作に対応する付加情報を前記画像撮影により取得された撮影画像に付加する付加手段と、
前記付加手段により付加情報が付加された前記撮影画像を記録する記録手段と、
を備える画像記録装置。
＜請求項２＞
前記所定の動作と、その動作に対応する付加情報を対応付けて記憶する記憶手段を備え、
前記付加手段は、前記認識手段により前記記憶手段に記憶されている動作が認識された場合に、その認識された動作に対応する付加情報を前記撮影画像に付加する請求項１に記載の画像記録装置。
＜請求項３＞
前記付加情報は、前記撮影画像の評価情報又は被写体の識別情報である請求項１又は２に記載の画像記録装置。
＜請求項４＞
前記撮影画像に付加された付加情報に基づいて、前記撮影画像に対する動作を制御する制御手段を備える請求項１〜３のいずれか一項に記載の画像記録装置。
＜請求項５＞
前記所定の動作は、所定の音声の発声又は所定のジェスチャーを含む請求項１〜４のいずれか一項に記載の画像記録装置。
＜請求項６＞
前記撮影画像は動画像である請求項１〜５のいずれか一項に記載の画像記録装置。
＜請求項７＞
前記認識手段により前記所定の音声が発声されたことが認識された場合に、当該音声を削除する削除手段を備える請求項６に記載の画像記録装置。
＜請求項８＞
前記認識手段は、前記動画像に基づいて前記所定の動作の認識を行い、
前記動画像を再生する再生手段と、
前記再生手段により前記動画像を再生する際に、前記認識手段により前記所定の動作が認識された範囲については再生が行われないように制御する再生制御手段と、
を備える請求項６に記載の画像記録装置。
＜請求項９＞
前記再生制御手段は、前記認識手段により認識された前記所定の動作が所定の音声の発声である場合に、前記再生手段による前記動画像の再生時に前記所定の音声を消音するよう制御する請求項８に記載の画像記録装置。
＜請求項１０＞
前記再生制御手段は、前記認識手段により認識された前記所定の動作が所定のジェスチャーである場合に、前記再生手段による前記動画像の再生時に前記動画像中の前記所定のジェスチャーが認識されたフレーム画像を再生対象から除くよう制御する請求項８又は９に記載の画像記録装置。
＜請求項１１＞
画像撮影中における撮影者による所定の動作を認識する認識工程と、
前記認識工程において認識された前記所定の動作に対応する付加情報を前記画像撮影により取得された撮影画像に付加する付加工程と、
前記付加工程において付加情報が付加された前記撮影画像を記録手段に記録する記録工程と、
を含む画像記録方法。
＜請求項１２＞
コンピュータを、
画像撮影中における撮影者による所定の動作を認識する認識手段、
前記認識手段により認識された前記所定の動作に対応する付加情報を前記画像撮影により取得された撮影画像に付加する付加手段、
前記付加手段により付加情報が付加された前記撮影画像を記録する記録手段、
として機能させるためのプログラム。
【符号の説明】
【００５２】
１  画像記録装置
１１  ＣＰＵ
１２  ＲＡＭ
１３  記録部
１３１  評価テーブル
１３２  設定テーブル
１３３  動画記録部
１４  操作部
１５  表示部
１６  撮像部
１７  音声入力部
１８  音声出力部
１９  通信部
２０  計時部
【図１】
2019022039.tif 000003
【図２】
2019022039.tif 000004
【図３】
2019022039.tif 000005